(57)【特許請求の範囲】
【請求項１】
瓶のようなガラス製物品を破砕するための装置であって、該装置は：
製品を受け入れる投入口と；
垂直面で回転するように回転自在に取り付けられそして瓶が投入されたときに瓶に衝突するガラス破砕部材を収納するガラス破砕チャンバと投入口を繋ぐ導管と；
ガラス破砕部材を回動するように水平回転軸を介して繋がれるモータと；
ガラス破砕部材が回転してガラス製品に衝突したときにガラス製品の破砕を助長するようにガラス破砕部材によりガラス製品が押し付けられるように配置される斜めに取り付けられた圧砕板と；
破砕されたガラスが装置から取り出される状態に保持される収集器と；
収集器との間の開口を介して破砕されたガラスを収集器へ通すことのできる放出バルブを備えた、破砕されたガラスを一時的に保持する中間収集器と、
取付け台を越えて瓶を入れることにより垂直方向に向いた位置に枢動するように作用して瓶が導管内に投入され、静止位置にあるとき、瓶が過剰に遠くまで滑走しないように背面支持壁の方に向けて開放するように、枢動自在に取り付けられた投入滑走台と
を含む、装置。
【請求項２】
圧砕板はリブを備える、請求項１に記載の装置。
【請求項３】
ガラス破砕部材は取付け板から垂直に延びる刃を備える、請求項１または２に記載の装置。
【請求項４】
刃は総体的に長方形の形状を有する、請求項３に記載の装置。
【請求項５】
刃は使用時に刃が回転するときにリブに近接した関係で通過する、リブと相補的な形状の切欠きを備える、請求項３または４に記載の装置。
【請求項６】
刃は、ガラス瓶を動かすための別の非直線通路を提供するように別の切欠きを縁に沿って備える、請求項５に記載の装置。
【請求項７】
瓶を解放する向きに滑走台を枢動することは投入口閉鎖手段を作動させる、請求項１〜６に記載の装置。
【請求項８】
放出バルブはローラに取り付けられる、請求項１〜７のいずれかに記載の装置。
【請求項９】
放出バルブはプレート部材を備える、請求項１〜８のいずれかに記載の装置。
【請求項１０】
放出バルブはグリップ部分を備える、請求項１〜９のいずれかに記載の装置。
【請求項１１】
装置は放出バルブと接触しかつ放出バルブの幅全域に延びる１つまたはそれ以上のブラシを備える、請求項１〜１０のいずれかに記載の装置。
【請求項１２】
プレート部材はプレート部材の幅全体に畝部を備える、請求項９〜１１のいずれかに記載の装置。
【請求項１３】
背面壁はテフロン（登録商標）、ＨＤＰＥまたはＵＨＭＷＰＥのような低摩擦係数を有する材料で形成される、請求項１〜１２に記載の装置。
【請求項１４】
背面支持壁は凹面状に曲げられる、請求項１３に記載の装置。
【請求項１５】
導管は遮音性材料からなる、請求項１〜１４のいずれかに記載の装置。
【請求項１６】
遮音性材料は衝撃吸収性発泡材料またはオープンセル材料で補強された穴明き金属シートからなる、請求項１５に記載の装置。
【請求項１７】
ガラス破砕部材の回転は１０００〜３０００ｒｐｍの速度である、請求項１〜１６のいずれかに記載の装置。
【請求項１８】
中間収集器は中間収集器内のガラスのレベルを決定するように１つまたはそれ以上のセンサを備え、そのレベルは予め設定された値に達したときに使用者に連絡される、請求項１〜１７のいずれかに記載の装置。
【請求項１９】
センサまたは各センサは超音波センサである、請求項１〜１８のいずれかに記載の装置。
【請求項２０】
センサまたは各センサは中間収集器の上面に取り付けられる、請求項１９に記載の装置。
【請求項２１】
予め設定される、使用者に連絡されるレベルは頂部から２００ｍｍまたは１００ｍｍに設定される、請求項１８〜２０のいずれかに記載の装置。
【発明の詳細な説明】
【技術分野】
【０００１】
本発明は、ガラスおよびガラス様材料を破砕するための改良された装置に関し、それはとりわけワインや蒸留酒などを入れるのに用いられるようなガラス瓶を破砕するのに適したものである。本装置は特にスペースが限られたバー、ナイトクラブ、レストラン或いは同様な施設において用いるのに適している。
【背景技術】
【０００２】
本出願人は、以前の特許出願、ＷＯ２０１４／０４９３５３において、ガラスを細かな小片に破砕する機械を開示しており、その機械は特に、バーや、後の廃棄のために作成されたガラス小片を収集できる地下貯蔵庫をバーの下に有するナイトクラブで用いるのに適したものである。特に、作成されたガラスカレットは取り出されて具体的には再溶融に使用することができる。作成される破砕小片の寸法は、前記再溶融し、溶融材料から新しいビンを形成できるのに適した形態である。
【先行技術文献】
【特許文献】
【０００３】
【特許文献１】ＷＯ２０１４／０４９３５３号公報
【発明の概要】
【発明が解決しようとする課題】
【０００４】
しかしながら、このような装置は常に好適または可能なものではなく、本発明は、より限定された空間で使用できる機械を提供しようとするものである。
【０００５】
加えて、本発明はまた、公知の発明の装置で作成されるガラス小片のような、研磨小片材料の流れを制御するのに用いるのに特に適した、しかしより一般的な、バルブを含む。現在使用可能なバルブは、特により柔らかい材料で作成されたバルブの部品を損傷でき、部品が極度に困難な動きしかできなくなるジャムを部品に生じさせる可動部品間に侵入できる小片材料の研磨性によって簡単に損傷されてしまう。
【課題を解決するための手段】
【０００６】
本発明の第１の態様によれば、ワインや蒸留酒に用いられるビンのような、ガラス製品を破砕するための装置を提供されており、この装置は：
製品を受け入れる投入口と；
垂直面で回転するように回転自在に取り付けられるガラス破砕部材を収納するガラス破砕チャンバと投入口を繋ぐ導管と；
ガラス破砕部材を回動するように水平回転軸を介して繋がれるモータと；
ガラス破砕部材が回転してガラス製品に衝突したときにガラス製品の破砕を助長するようにガラス破砕部材によりガラス製品が押し付けられるように配置される斜めに取り付けられた圧砕板と；
破砕されたガラスが装置から取り出される状態に保持される収集器と；
収集器との間の開口を介して破砕されたガラスを収集器へ通すことのできる放出バルブを備えた、破砕されたガラスを一時的に保持する中間収集器と
を含む。
【０００７】
上述の機構は、よりコンパクトな装置に利用可能であり、より小さな施設で装置を使用できる。
【０００８】
圧砕板は、ガラスの破砕時、特にガラスのいかなるラベルも寸断するときに助力するリブを効果的に備え、このラベルはガラスの破片を共に保持するように作用できることで、破砕作業および後続する放出バルブを通る破砕ガラスの移動を妨害する。
【０００９】
好ましくは、ガラス破砕部材は、取付け板から垂直に延びる刃を備える。より好ましくは、、刃は総体的に長方形の形状を有する。
【００１０】
好都合に、刃は、使用時に刃が回転するときにリブに近接した関係で通過する、リブと相補的な形状の切欠きを備える。この構成は、ガラス瓶が本装置を通過するように移動する被直線通路を提供し、容器へと動くガラスの小片が過大となるリスクを減少する。さらにまた好都合には、刃は、ガラス瓶を動かすための別の非直線通路を提供するように縁に沿った別の切欠きを備え、例えば、ラベルが細断されることなしに収集器へ通過するリスクを最小限に抑える。
【００１１】
本装置は、好ましくは、枢動自在に取り付けられた投入滑走台を備え、それにより取付け台を越えて滑走台へ瓶を入れることにより滑走台を垂直方向に向いた位置に枢動するように作用して瓶を導管内に投入する。滑走台は、人の手が予想外に刃に捉えられるリスクを最小限に抑える。さらに好ましくは、滑走台が瓶を解放する向きに枢動することは、投入口に存在する生成されたガラスの破片のリスクを減少しそしてまた次の瓶が装置に即座に投入されて装置の処理能力を超過するのを防止するように投入口閉鎖手段を作動させる。
【００１２】
大量のガラス小片はバルブの開放を困難にし、その結果、慣用のバルブでは急速に擦り減って損傷されてしまう。それ故、本発明の放出バルブは、開放位置と閉鎖位置との間の運動を容易にするために、ローラに有効的に取り付けられる。
【００１３】
さらに有効的には、放出バルブはプレート部材を備え、さらにまた有効的には、使用者が手でバルブを操作できるようにグリップ部分を備える。プレート部材は使用時にガラス小片が上面に積もりそして定期的に収集器へ解放できる。有効的には、本装置は、放出バルブと接触しかつ放出バルブの幅全域に延びる１つまたはそれ以上のブラシを備え、ガラス小片が開口の縁を越えてそして装置と放出バルブの間に引き込まれるのを防止する。放出バルブおよび装置への損傷は最小限に抑えられそしてバルブが塞がれるリスクもまた最小限に抑えられる。
【００１４】
好ましくは、プレート部材は、装置の外へプレート部材が引き出され過ぎるのを防止するために、プレート部材の幅全体に畝部を備える。
【００１５】
静止位置にある滑走台は、瓶が過剰に遠くまで滑走しないように、背面支持壁の方に向けて開放しているのが好ましい。さらに好ましくは、背面壁は、瓶が過剰に背面支持壁に係合する機会を最小限にし、そして生じる摩擦力が滑走台を枢動させるのを防止するために、テフロン（登録商標）、ＨＤＰＥまたはＵＨＭＷＰＥのような低摩擦係数を有する材料で形成される。さらにまた好ましくは、背面支持壁は瓶の動きを助けるように凹面状に曲げられる。
【００１６】
随意であるが、導管は装置により発生される雑音を低減するために遮音性材料からなる。遮音性材料はさらに、随意に、衝撃吸収性発泡材料またはオープンセル材料で補強された穴明き金属シートからなる。
【００１７】
随意であるが、ガラス破砕部材の回転は１０００〜３０００ｒｐｍの速度であり、バルブはガラス小片を所望の小片配分で送るように設定される。
【００１８】
有効的には、収集器は収集器内のガラスのレベルを決定するために１つまたはそれ以上のセンサを備え、そのレベルは、予め設定された値に達したときに使用者に連絡される。このセンサまたは各センサは、さらに有効的には、収集器の上面に好適に取り付けられた超音波センサである。随意であるが、使用者に連絡されるときのレベルは、頂部から２００ｍｍまたは１００ｍｍに設定される。
【００１９】
本発明の第２の態様によれば、装置を通る小片固体の流れを制御するためにバルブが設けられ、このバルブは、流れを止める開口懸架位置と開放位置の間で移動可能なプレート部材と、ハウジング内に取り付けられる１つまたはそれ以上のブラシ部材とからなり、プレート部材はバルブハウジング内に収納されかつ動きを容易にするようにローラに取り付けられ、ブラシ部材の各々は、小片がブラシを越えて移動するのを防止するようにプレート部材の表面と係合して、プレート部材がハウジング内にあるときにプレート部材を効率よく清掃する。
【００２０】
バルブ閉塞のリスクは、それ故、低減され、また、ハウジングとプレート部材の間に侵入する小片材料によるバルブへの損傷も低減される。
【００２１】
好ましくは、プレート部材は、装置の外へプレート部材が引き出され過ぎるのを防止するために、プレート部材の幅全体に畝部を備える。
【００２２】
効果的には、プレート部材は、プレート部材の操作を容易にするために把持部分を備える。選択的に、プレート部材の運動はモータ駆動ユニットにより作動される。
【００２３】
次に、本発明は、それに限定されるものではないが、ガラスを破砕するための装置の２つの実施例を示す添付の図面を参照して説明される。
【図面の簡単な説明】
【００２４】
【図１】図１は、第１実施例の装置の、側面パネルを取り外された、瓶を投入する直前の側面図である。
【図２】図２は、瓶を投入した後の図１の装置の側面図である。
【図３】図３は、瓶の破砕を示す図１の装置の側面図である。
【図４】図４は、側面パネルを取り外された図１の装置の第１斜視図である。
【図５】図５は、側面パネルを取り外された図１の装置の第２斜視図である。
【図６】図６は、第２実施例の装置の、側面パネルを取り外された、瓶を投入する直前の側面図である。
【図７】図７は、瓶を投入した後の図６の装置の側面図である。
【図８】図８は、瓶の破砕を示す図６の装置の側面図である。
【図９】図９は、側面パネルを取り外された図６の装置の第１斜視図である。
【図１０】図１０は、側面パネルを取り外された図６の装置の第２斜視図である。
【図１１ａ】図１１ａは、バルブ機構の詳細を示す部分切断斜視図である。
【図１１ｂ】図１１ｂは、バルブ機構の詳細を示す部分切断斜視図である。
【図１２ａ】図１２ａは、作動時のバルブ機構を示す断面図である。
【図１２ｂ】図１２ｂは、作動時のバルブ機構を示す断面図である。
【図１３ａ】図１３ａは、モータおよび刃の斜視図である。
【図１３ｂ】図１３ｂは、モータおよび刃の分解斜視図である。
【図１４ａ】図１４ａは、刃および圧砕板の斜視図である。
【図１４ｂ】図１４ｂは、刃および圧砕板の平面図である。
【図１５】図１５は、第１実施例の装置内の空気循環を示す図である。
【図１６】図１６は、第２実施例の装置のための２ピース構造の斜視図である。
【図１７ａ】図１７ａは、移動を容易にするためのキャスタ付き装置を示す図である。
【図１７ｂ】図１７ｂは、移動を容易にするためのキャスタ付き装置を示す図である。
【図１８】図１８は、消音装置を示す図である。
【発明を実施するための形態】
【００２５】
本発明は、以下に述べるように、ガラス瓶等を小さな小片に破砕する装置に関するものである。本装置は特に、バーやレストラン等のような店舗で、廃棄するガラスの量を減少するのに適したものである。作成される小片は、装置の容積を増加する元の瓶以上に総合密度が増加され、そして店舗からガラスを運び出すのを助力するような寸法および形状である。さらに、ガラス小片は、使用者にとって、割れた瓶の大きな破片よりも危険性が少ない。
【００２６】
本装置は主としてバーに単独のユニットとして使用され、割れたガラスのための収集器を設置できるように貯蔵庫に配置される必要はない。
【００２７】
最も基本的な態様において、ここに開示される装置は１個のガラス製品のための投入口を備え、ガラス製品はそこを通って投入され、次いで、モータによって駆動される回転刃へ重力により落下し、刃は瓶を、再使用のために再溶融されるガラスに適した典型的に５〜３０ｍｍの寸法の小さな小片に破砕するように作用する。小片化されたガラスは、次いで、最終的な処分のために、ホッパーのような陽気に収集される。
【００２８】
回転速度の変化によって、刃等の形状、作成されるガラス小片の寸法は最終目的に適合するように変更できる。例えば、１０ｍｍより小さな寸法のガラス小片は、ビルの骨材の一部として、水濾過に使用できる、或いは路面に組み込むことができる。１０ｍｍ以上の寸法の大きなものは再利用されそして新しい瓶または広口瓶の製造或いはガラス繊維に使用できる。
【００２９】
装置の安全性を改善するために、刃が動いている間に人が刃に触れるのを防止するようにモータの遮断スイッチが設けられる。また、装置の破砕されたガラスの貯蔵容量が限界に達して容器を空にする必要があることを使用者が把握する指示器を備えることができる。
【実施例１】
【００３０】
最初に図１から図５を参照すると、それらは、総体的に参照符号１０で示される第１実施例の装置を示している。装置１０は、板状金属或いはまた改善された遮音特性を提供できる木材で形成できるパネル１１で形成されたハウジングを有する。最頂端パネル１１ａには導管１３内に開口する投入口１２が設置され、導管１３は投入口１２を破砕ユニット１４に接続する。図示の例において、導管１３は留め金１５により開閉自在であり、それにより、瓶の圧砕の際に、導管１３は妨害物の除去を行えるように開放できる。
【００３１】
装置１０はバーの作業空間またはそこに近接した場所で使用することを意図しており、そのため装置１０により発生される騒音を最少化することは重要である。この目的のために、投入口は遮音カラー１６によって囲まれる。カラー１６は穴明きシート金属外層と吸収性発泡体またはガラス繊維のようなオープンセル材料で形成された内層をそれら間に有する。カラー１６のこれらの部材は、開放した投入口１２を介して装置から出る音響レベルを減衰するように組み合わされる。
【００３２】
音漏れをさらに減衰しかつ破砕ユニット１４から投入口１２の外へガラスが飛び出すリスクを減少するために、バネ付きフラップ１７が投入口の口内に取り付けられる。瓶がフラップ１７を押し通るとき、フラップ１７は押し広げられ、導管１３に瓶を入れることができる。瓶がフラップ１７に通過すると、フラップ１７の取付け部に組み込まれたバネは投入口１２を閉じるようにフラップ１７を互いに向かって押し進める。
【００３３】
ガラスの破片からの衝撃に耐えるのと同様に騒音を減衰するために、フラップ１７はポリウレタン、ポリエチレンのような熱可塑性エラストマ、またはゴム材料で作成される。
【００３４】
導管１３は破砕ユニット１４の破砕チャンバ１８に開口している。破砕チャンバ１８は、回転自在に取り付けられた刃１９と、使用時に通過する瓶を破砕するように協働する破砕プレート２０とを収納する。
【００３５】
瓶は所要の寸法の小片材料に破砕され、次いで小片はホッパー２１に落下し、そこにおいて最終的にバルブ２２を介して移送容器２３に出すまで小片を集める。ホッパー２１を空にする必要性を使用者が決定するのを助けるために、装置１０のパネル１１ｂに窓２４が設けられる。窓２４は、ガラス小片が破砕チャンバ１８から排出されるときに高エネルギで窓２４に衝突することによって傷つけるのに耐えるために、ポリカーボネートまたは強化ガラスで形成される。
【００３６】
窓２４に加えて、或いはその代わりに、装置１０は、ホッパー２１に溜まるガラスのレベルを決定して表示するように、レベルセンサと表示器とを設けることもできる。センサ１５１から１５３（図１５参照）は、例えば、ガラスのレベルがホッパーの頂部の２００ｍｍ、１００ｍｍ内であることを示すように設定できる、超音波、赤外線、光学的、マイクロ波、振子式／傾斜式スイッチまたは容量性センサであり得る。このレベルは、できれば、作動されたセンサに基づいて異なった色を示すＬＥＤライト１５４のような視覚的または音響的信号により使用者に通知される。ホッパーが充満された場合には、装置１０の遮断スイッチは、ホッパー内のレベルが減少されるまで、装置１０の更なる使用を止めるように作動できる。加えて、万一ドアパネル１１ｃ、１１ｄが開かれた場合の安全遮断スイッチが設けられる。勿論、この設備はその他のパネルにも広げることができる。
【実施例２】
【００３７】
次に、図６から１０の第２実施例を見ると、そこに示された装置６０の要部は、図１から５の第１実施例と同様である。ここでは、同様な参照符号が同様な機構に用いられている。しかしながら、投入口は、安全な瓶の移送を可能にし、そして装置６０を詰まらせてしまう装置６０内への瓶の過剰に早い投入を阻止する互換性のある投入供給機構からなる。また、投入供給機構は、瓶を破砕チャンバ１８に到達するのに理想的である瓶の底を先にして瓶を投入するときに最も効果的に機能する。
【００３８】
投入供給機構は管状体６１ａへ続く投入口６１を備え、この管状体６１ａは水平方向に配置された低摩擦係合軸受に枢軸６２の回りで枢動自在に取り付けられる。管状体６１ａに瓶を投入すると、管状体と瓶の組合せの重心を動かす。管状体６１ａの平衡点はそれにより「ミキサー」瓶やシャンペン瓶のようなバーにおいて典型的なすべての寸法の瓶により回転を生じさせる。最終的に、瓶の投入は、管状体６１ａが垂直方向に向くまで、管状体６１ａを図７の矢印Ａで示される方向へ枢動させる。瓶の重量は、そのとき、瓶を下方へ移動させて導管１３へと導くフラップ６３を開き、破砕チャンバ１８へ前進させる。瓶はそこで刃１９により破砕され、形成されたガラス小片は最終的に第１実施例で述べた手段で移送容器２３に導かれる。瓶が管状体６１ａから落下すると、管状体６１ａは別の瓶を受け取るように管状体６１ａを元の位置に枢動する。典型的に、瓶が管状体６１ａに落とされてからその瓶受取りのための向きに戻るまでは１〜２秒間である。
【００３９】
それ故、第２実施例に関して使用時には、使用者は装置６０を主ＡＣ電源に接続する。窓２４を介して視認するか或いはどれかの表示器１５４の表示を調べることにより、容器２３およびホッパー２１が限度一杯でないことを確認した後、使用者は投入口を介して管状体６１ａに瓶を投入する。瓶が十分に管状体６１ａ内にあると、瓶の重量は管状体６１ａを枢動させる。可撓性支持壁６４が管状体６１ａの出口６５に取り付けられる。支持壁６４はいずれか一方の端部で固定され、それにより、支持壁６４は管状体６１ａが枢動するときの出口６５の径路に従った曲線をそれら間に描く。支持壁６４は、好ましくは、瓶が背面壁に過剰に強く係合する機会を最小限にして、摩擦力が管状体６１ａを枢動させてしまうのを防止するために、テフロン（登録商標）、ＨＤＰＥまたはＵＨＭＷＰＥのような低い摩擦係数を有する材料で形成される。
【００４０】
互換的な実施形態、図示なし、において、可撓性壁の代わりに固い角のある壁を使用することもできる。
【００４１】
この枢動運動は、刃１９を回転させるためにモータ１３０の運転を始動させる。また、管状体６１ａが枢動すると、管状体への開口は投入口６１から離れる方向へ移動され、管状体６１ａ内に使用者の手が入ったまま或いは保持したままになるのを防止する。それ故、刃の回転により直接的に或いは刃によって作成された小片による不注意な衝撃から使用者が傷つけられるリスクを最小限にする。加えて、枢動はカバー部材６１ｂに開口を横切らさせることができる。投入された瓶は導管１３を下方へ通過し、破砕ユニット１４を通ってホッパーそして最終的に容器に集められる。装置６０に投入される瓶がもうないとき、モータは、例えば５から６０秒間のオーバーラン時間だけ運転するように調整される。
【００４２】
次に、バルブ２２の動作について図１１および１２を参照してより詳細に説明する。バルブ２２はホッパー２１と移送用容器２３の間に取り付けられる。瓶が破砕ユニット１４で破砕されると、そこから生じる小片はまずバルブプレート１１０に集められる。十分なガラスが集められると、バルブプレート１１０は、図１２ａに示される閉鎖位置から図１２ｂの開放位置に移動される。ガラス小片は容器２３へ放出され、その後、バルブプレート１１０は閉鎖位置に戻される。開閉を助けるために、バルブプレート１１０にハンドルまたは握持部１１１が設けられる。ハンドル１１１はバルブプレート１１０に単純に折曲げ部であったり、一般的に周知のその他のタイプのハンドルであってもよい。
【００４３】
バルブプレート１１０への損傷並びにバルブプレート１１０とバルブプレートハウジング１１２の間の空間１１０ａにガラス小片が貫入するのを減少するために、バルブプレート１１０はバルブ２２の寿命を引き延ばしそしてその動作を助ける別の機構を備える。バルブ２２へのガラス小片貫入のリスクは、空間１１０ａ内に小片を跳ね返させる落下する小片の運動量により貫入が簡単に実行できるが、プレート１１０が図１２ｂの矢印の方向に引き出されるときに最大であることは明らかである。それ故、これを防止するために、バルブプレート１１０は、プレート１１０の形状によりガラスと接触することになるのを防止されたローラ１１３に取り付けられる。図示の例において、バルブプレート１１０は２つの縁部に沿って細長いロール面１１４を形成される。それ故、使用時には、ロール面１１４は、プレート１１０を簡単に動かすことのできるローラ１１３に載置する。
【００４４】
追加的または互換的に、プレート１１０の幅全体に延びるブラシ１１５ａ〜ｃがバルブプレートハウジング１１２から吊り下げられる。２つのブラシ１１５ａ、ｂは、まず、小片が落下するバルブプレート１１０の部分をガラス小片が離れるのを防止するように作用する。次に、ブラシ１１５ｂ、ｃはホッパー２１と容器２３を繋ぐ開口に向かって小片を掃くように作用し、それにより、ガラス小片はバルブ２２の開放時に容器２３に落下する。バルブプレート１１０のスロット１１６がバルブプレート１１０の閉鎖のためのストッパ部材として作用しそしてまたガラス小片貫入のさらなる障壁としても作用する。
【００４５】
刃１９の詳細およびモータ１３０への刃ハウジングが図１３に示されている。図示のモータ１３０は、まず、単相モータよりもより円滑であり、それ故、より静かでありそして刃１９の動作をより効果的にする三相モータである。そうではあるが、単相モータを使用することもできる。次に、三相モータは、本発明の典型的な用法である、スイッチを入れてモータを短時間駆動させたのち、スイッチを切ることが繰り返される装置での使用により簡単に対処できる。
【００４６】
刃１９に関して、図示の場合、その外縁１３２に沿って総体的に台形の切欠き１３１を有する。装置６０に投入される瓶のほとんどはラベルが付いたままであることは知られている。ラベルは、瓶にラベルを固着するのに用いられる粘着剤のために、破砕処理には不利に作用する。ラベルはさらに、バルブの機能において実質的に次善の結果を生じる。ラベルが完全なままで残されると、出口穴は十分に大きいことが必要であり、放出される浮遊部材の量を増加するリスクを増大してしまう。装置６０はこの状況を許容し、そしてラベルを除去する事前破砕洗浄工程を行う必要がないので、使用者の仕事を非常に簡単にする。切欠きは瓶が装置を横切るのに必要である回旋状の通路を提供し、それにより、ラベルが通り抜ける機会をなくしそして瓶のラベルを付着された部分が破砕されなくなってしまうのを大幅に減少する。
【００４７】
加えて、この処理を助けるために、刃１９はまた、１つまたはそれ以上の別の切欠きを備えることができる。図１４に示される実施例において、別の切欠き１３３ａ、ｂは切欠き１３１の離れた縁部に配置される。別の切欠き１３３ａ、ｂの形状は圧砕板２０のリブ１３４と相補的であるように選定される。空間１３５が刃１９と圧砕板２０とそしてこれら２つの部材間をガラス小片が通ることができるようにリブ１３４との間に設けられ、空間１３５はガラスが小さ過ぎる小片寸法に縮小しないために十分に大きくなるように選定される。典型的な空間は、所望の小片寸法に応じて、５から３０ｍｍであり、好ましくは５から１０ｍｍである。
【００４８】
破砕ユニット１４内で作られる圧力で生じるダスト発生を減少するために、破砕ユニット１４を導管１３と繋ぐ空気循環通気管１５５が設けられる。通気管１５５はまた、装置内で作られる定在波のための条件を最低限にすることにより騒音減衰を助ける。
【００４９】
図１６に一実施例が示されており、そこにおいて、投入口および破砕ユニットは第１キャビネット１６１に設けられ、ホッパーおよび容器ユニットは第２キャビネット１６２に設けられる。この実施例は、現場で互いに固定される２つのユニットの状態で、装置をより簡単な取扱い可能な梱包で使用者に提供される。図示されていないが、互換的な例において、第１キャビネット１６１は管への放出のために反対の頂部に取り付けることもできる。このことは、使用可能な空間および使用者の望みにより、破砕されたガラスを異なった寸法の容器に集めることが可能になる。
【００５０】
図１７ａ、１７ｂにおいて、上述の実施例による装置は、位置間の移動を容易にするためにキャスタ１７０に載置される。
【００５１】
図１８において、上述した実施例と組み合わせて使用するための別の騒音減衰手段が開示される。消音装置またはバッフルボックスが破砕チャンバ１８の出口の下に配置される。破砕チャンバ１８から出たガラス小片は、刃１９および重力の作用により高い速度を有することができる。小片が装置の側部に衝突するときに生じる騒音は、それ故、相当なものである。
【００５２】
消音装置１８０はガラス小片を減速させるように作用し、いずれの衝突で生じる騒音をも減衰する。消音装置１８０は２つの互いに重なり合った傾斜付きゴム製フラップ１８１からなり、小片は、これらのフラップ１８１に衝突したとき、勢いを喪失して側部から離れるように逸らされる。必要ならば、追加のフラップ１８１を用いてもよい。
【００５３】
本発明は、ここで述べた特定な詳細に示唆されるものではなく、例示を目的として述べられたものであり、本発明の範囲内において種々の変形および互換が可能であることを認識すべきである。
【図１】
0006734285.tif 000002
【図２】
0006734285.tif 000003
【図３】
0006734285.tif 000004
【図４】
0006734285.tif 000005
【図５】
0006734285.tif 000006
【図６】
0006734285.tif 000007
【図７】
0006734285.tif 000008
【図８】
0006734285.tif 000009
【図９】
0006734285.tif 000010
【図１０】
0006734285.tif 000011
【図１１ａ】
0006734285.tif 000012
【図１１ｂ】
0006734285.tif 000013
【図１２ａ】
0006734285.tif 000014
【図１２ｂ】
0006734285.tif 000015
【図１３ａ】
0006734285.tif 000016
【図１３ｂ】
0006734285.tif 000017
【図１４ａ】
0006734285.tif 000018
【図１４ｂ】
0006734285.tif 000019
【図１５】
0006734285.tif 000020
【図１６】
0006734285.tif 000021
【図１７ａ】
0006734285.tif 000022
【図１７ｂ】
0006734285.tif 000023
【図１８】
0006734285.tif 000024